(57)【要約】  本発明は、両方の端部が互いに接着されて長さ方向に沿って内部に断熱層を形成する断熱シートと、一方の側面は前記断熱シートに付着し、他方の側面はドア又は前記ドアのフレームに付着する接着部と、を含む断熱ガスケットを提供する。【選択図】図１
2019505733.tif 000002
【特許請求の範囲】
【請求項１】
両方の端部が互いに接着されて長さ方向に沿って内部に断熱層を形成する断熱シートと、
一方の側面は前記断熱シートに付着し、他方の側面はドア又は前記ドアのフレームに付着する接着部と、を含む断熱ガスケット。
【請求項２】
前記断熱シートは、
前記長さ方向に形成される断熱膜と、
前記長さ方向に沿って前記断熱膜の一方の端部に形成された第１接着層と、
前記第１接着層と接着されて前記断熱層を形成することができるように、前記長さ方向に沿って前記断熱膜の他方の端部に形成された第２接着層と、を含む請求項１に記載の断熱ガスケット。
【請求項３】
前記断熱膜は、
前記断熱層を形成する内面と、
前記内面の背面である外面と、を含み、
前記第１接着層と前記第２接着層は、前記内面に形成される、請求項２に記載の断熱ガスケット。
【請求項４】
前記接着部は、前記第１接着層の背面または前記第２接着層の背面に備えられる、請求項３に記載の断熱ガスケット。
【請求項５】
前記内面に凹凸が形成される、請求項３に記載の断熱ガスケット。
【請求項６】
前記内面には、複数の凹部と複数の凸部とが交互に形成される、請求項３に記載の断熱ガスケット。
【請求項７】
前記凹部のそれぞれと前記凸部のそれぞれは、前記長さ方向に対して傾斜した方向に形成される、請求項６に記載の断熱ガスケット。
【請求項８】
構造物の開口部に設置されるドアフレーム、
前記ドアフレームに回転可能に設置されて前記開口部を開閉するドア、および
前記ドアフレームまたは前記ドアの長さ方向の周りに設置され、前記ドアが前記開口部を閉鎖するとき、前記ドアフレームと前記ドアとの隙間を遮断する断熱ガスケットを含み、
前記断熱ガスケットは、
両方の端部が互いに接着され、前記長さ方向に内部に断熱層を形成する断熱シートと、
一方の側面は前記断熱シートに付着し、他方の側面は前記ドアフレームまたは前記ドアに付着する接着部と、を含む断熱ドア装置。
【請求項９】
前記断熱膜は、
前記断熱層を形成する内面と、前記内面の背面である外面を含み、
前記内面には、複数の凹部と複数の凸部が交互に、前記長さ方向に配置される、請求項８に記載の断熱ドア装置。
【請求項１０】
前記各凹部と前記各凸部は、前記長さ方向に対して傾斜した方向に形成される、請求項９に記載の断熱ドア装置。
【発明の詳細な説明】
【技術分野】
【０００１】
本発明は、断熱ガスケットおよびこれを備えた断熱ドア装置に関する。
【背景技術】
【０００２】
一般的に、ドアとフレームとの間、またはドアとドアとの間には隙間が発生し、このような隙間から隙間風、騒音などが流入する。
【０００３】
そして、隙間風などの流入を防止するために、前述した隙間には、断熱ガスケットが設置される。
【０００４】
前記断熱ガスケットは、ゴムガスケットと防風毛（モヘア）に大別することができる。
【０００５】
前記ゴムガスケットは、弾性のあるゴムの押さえ密着により気密性は優れているが、ゴムガスケットの弾性によりドアがひずむという問題点がある。
【０００６】
また、前記防風毛は、パイルとパイルとの間に隙間があり、押されると毛が広がるという問題が生じることがあり、これにより気密性能が落ちるという問題点がある。
【発明の概要】
【発明が解決しようとする課題】
【０００７】
本発明は、前記のような問題点を解決するために創出されたものであって、断熱および防音に効果的な断熱ガスケットおよびこれを備えた断熱ドア装置を提供する。
【課題を解決するための手段】
【０００８】
本発明の一側面による断熱ガスケットは、両方の端部が互いに接着されて長さ方向に沿って内部に断熱層を形成する断熱シートと、一方の側面は前記断熱シートに付着し、他方の側面はドア又は前記ドアのフレームに付着する接着部を含む。
【０００９】
前記断熱シートは、前記長さ方向に形成される断熱膜と、前記長さ方向の前記断熱膜の一方の端部に形成された第１接着層と、前記第１接着層と接着されて前記断熱層を形成することができるように、前記長さ方向の前記断熱膜の他方の端部に形成された第２接着層とを含むことができる。
【００１０】
前記断熱膜は、前記断熱層を形成する内面と、前記内面の背面である外面を含み、前記第１接着層と前記第２接着層は、前記内面に形成されることができる。
【００１１】
前記接着部は、前記第１接着層の背面または前記第２接着層の背面に備えられることができる。
【００１２】
前記内面で凹凸が形成されることができる。
【００１３】
前記内面には、複数の凹部と複数の凸部が交互に形成されることができる。
【００１４】
前記各凹部と前記各凸部は、前記長さ方向に対して傾斜した方向に形成されることができる。
【００１５】
本発明の他の側面によれば、構造物の開口部に設置されるドアフレーム、前記ドアフレームに回転可能に設置され、前記開口部を開閉するドア、および前記ドアフレームまたは前記ドアの長さ方向の周りに設置され、前記ドアが前記開口部を閉鎖するとき、前記ドアフレームと前記ドアとの隙間を遮断する断熱ガスケットを含み、前記断熱ガスケットは、両方の端部が互いに接着され、前記長さ方向に内部に断熱層を形成する断熱シートと、一方の側面は前記断熱シートに付着し、他方の側面は前記ドアフレームまたは前記ドアに付着する接着部を含む断熱ドア装置を提供する。
【００１６】
前記断熱膜は、前記断熱層を形成する内面と、前記内面の背面である外面を含み、前記内面には、複数の凹部と複数の凸部が交互に、前記長さ方向に配置されることができる。
【００１７】
前記各凹部と前記各凸部は、前記長さ方向に対して傾斜した方向に形成されることができる。
【発明の効果】
【００１８】
本発明に係る断熱ガスケットおよびこれを備えた断熱ドア装置は、構造物の開口部に対する設置が簡便であり、構造物の開口部の隙間を遮断して、構造物の開口部に対する断熱および防音に効果的である。
【００１９】
また、断熱膜内面に形成された凸部は、断熱膜の曲げ強度（ｂｅｎｄｉｎｇ  ｓｔｒｅｎｇｔｈ）を増加させ、断熱膜の弾性を長時間維持する。
【００２０】
また、前述した凸部は、断熱膜内面が互いに付着する現象を防止する。
【図面の簡単な説明】
【００２１】
【図１】本発明の一実施例に係る防風装置の斜視図である。
【図２】図１のＡ−Ａの断面図である。
【図３】図１の防風装置の断熱シートの断熱膜内面の拡大断面図である。
【図４】図１の防風装置の断熱シートの断熱膜内面の拡大断面図である。
【図５】図１の防風装置の断熱シートが広がった様子の図である。
【図６】図５の断熱シートの断熱膜内面の拡大斜視図である。
【図７ａ】本発明の他の実施例に係る断熱ドア装置を説明するための図である。
【図７ｂ】本発明の他の実施例に係る断熱ドア装置を説明するための図である。
【図８ａ】本発明の他の実施例に係る断熱ドア装置を説明するための図である。
【図８ｂ】本発明の他の実施例に係る断熱ドア装置を説明するための図である。
【図９ａ】本発明の他の実施例に係る断熱ドア装置を説明するための図である。
【図９ｂ】本発明の他の実施例に係る断熱ドア装置を説明するための図である。
【図１０】本発明の他の実施例に係る断熱ドア装置を説明するための図である。
【図１１】本発明のまた他の実施例に係る断熱ドア装置を説明するための図である。
【発明を実施するための形態】
【００２２】
以下では、図面を参照して、本発明の一実施例に係る断熱ガスケットを説明する。
【００２３】
図１は、本発明の一実施例に係る防風装置の斜視図である。図２は、図１のＡ−Ａの断面図である。図３および図４は、図１の防風装置の断熱シートの断熱膜内面の拡大断面図である。図５は、図１の防風装置の断熱シートが広がった様子の図である。図６は、図５の断熱シートの断熱膜内面の拡大斜視図である。
【００２４】
図１〜図６を参照すると、本発明の断熱ガスケット１００は、断熱シート１１０と接着部１２０を含む。
【００２５】
前記断熱ガスケット１００は、構造物の開口部に設置されるドア１１またはドアフレーム１２、１３に設置される（図７ａ、図９ａ参照）。
【００２６】
前記断熱シート１１０は、両方の端部が互いに接着され、長さ方向Ｘに沿って内部に断熱層１００ａを形成することができる。ここで、断熱層１００ａは、前記断熱シート１１０によって形成された空気層を意味する。
【００２７】
そして、前記断熱層１００ａは、前記ドア１１と、前記ドアフレーム１２又は１３との間の隙間で構造物の開口部の内外方向（幅方向Ｙ）にも長く形成されるため、断熱に非常に効果的である。
【００２８】
このような断熱シート１１０は、断熱膜１１１、第１接着層１１２および第２接着層１１３を含む。
【００２９】
前記断熱膜１１１は、長さ方向Ｘに長く形成される。
【００３０】
ここで、長さ方向Ｘとは、ドア１１またはドアフレーム１２、１３の縁の周方向のうちのいずれか一つ以上を意味する（以下、同様）。
【００３１】
前記断熱膜１１１は、合成樹脂材などで作られ、０.１０ｍｍ〜０.３０ｍｍの厚さの膜で形成されることができる。
【００３２】
前記断熱膜１１１は、内面１１１１と外面１１１２を含む。
【００３３】
前記内面１１１１は、前記断熱層１００ａを形成する面を意味する。
【００３４】
また、前記内面１１１１には、微細な凹凸が形成されてもよい。
【００３５】
前記凹凸は、複数の突起を意味することもでき、その断面は、三角形、半円形などとすることができるが、これに限定されるものではなく、様々な形状とすることが可能である（図３および図４参照）。
【００３６】
前記凹凸は、前記断熱膜１１１が外力によって変形するとき、互いに接触して前記断熱膜１１１の弾性を補強することができる。
【００３７】
また、前記内面１１１１には、複数の凹部１１１１ａと複数の凸部１１１１ｂが交互に、前記長さ方向Ｘに配置されることができる。
【００３８】
ここで、各凸部１１１１ｂは、前記長さ方向Ｘと交差する方向に前記断熱膜１１１の曲げ強度（ｂｅｎｄｉｎｇ  ｓｔｒｅｎｇｔｈ）を増加させ、前記断熱膜１１１の弾性を長時間維持することができる。
【００３９】
一方、各凹部１１１１ａと各凸部１１１１ｂは、前記長さ方向Ｘに対して傾斜した方向に形成されることもできる。
【００４０】
より詳細に説明すると、各凹部１１１１ａと各凸部１１１１ｂは、前記長さ方向Ｘに垂直な幅方向Ｙに向かって傾斜し、前記長さ方向Ｘと交差するように配置されることができる。
【００４１】
このように、前記長さ方向Ｘに対して傾斜した方向に各凹部１１１１ａと各凸部１１１１ｂが配置されると、前記ドア１１または前記ドアフレーム１２、１３によって前記断熱膜１１１が長時間押されるとき、前記内面１１１１が互いに接触する面積が減少する。そのため、前記内面１１１１が互いに密着して付着する現象を減らすことができる。
【００４２】
そして、互いに隣接する前記各凹部１１１１ａの間の距離Ｄ１または前記各凸部１１１１ｂの間の距離Ｄ１は、０.００５ｍｍ〜０.０２ｍｍとすることができる。
【００４３】
一方、前記外面１１１２は、曲面で形成されることができる。すなわち、前記外面１１１２は、なめらかな（ｓｍｏｏｔｈ）曲面で形成され、前記ドア１１が閉じられたとき、前記ドア１１と、前記ドアフレーム１２又は１３との間の隙間の気密性を向上させることができる。
【００４４】
また、前記外面１１１２は、なめらかな平面で形成されるので、前記断熱ガスケット１００は、摩擦のある窓戸にも効果的に使用されることができる。
【００４５】
前記第１接着層１１２は、前記長さ方向Ｘに沿った前記断熱膜１１１の一方の端部に形成される。
【００４６】
そして、前記第２接着層１１３は、前記第１接着層１１２と接着し、前記断熱膜１１１が前記断熱層１００ａを形成することができるように、前記長さ方向Ｘに沿った前記断熱膜１１１の他方の端部に形成される。
【００４７】
より詳細に説明すると、前記第１接着層１１２と前記第２接着層１１３とが互いに接着されるとき、前記断熱膜１１１は、円形または楕円形に丸められて、前記断熱層１００ａを形成することができる。
【００４８】
このような前記第１接着層１１２及び前記第２接着層１１３は、接着剤によって形成されることができるが、これに限定されるものではなく、前記断熱膜１１１の前記幅方向Ｙの両方の端部が加熱圧着により固着することで形成されてもよい。
【００４９】
前記接着部１２０は、前記断熱シート１１０を前記ドア１１や前記ドアフレーム１２、１３に付着させる。
【００５０】
より詳細に説明すると、前記接着部１２０の一方の側面は、前記断熱シート１１０に付着し、前記接着部１２０の他方の側面は、前記ドア１１や前記ドアフレーム１２、１３に付着することができる。
【００５１】
また、前記接着部１２０は、前記第１接着層１１２の背面または前記第２接着層１１３の背面に備えられることができる。
【００５２】
そして、前記接着部１２０には、前記ドア１１や前記ドアフレーム１２、１３に付着する前の前記接着部１２０の他方の側面を保護するカバー１２１が備えられることもできる。
【００５３】
以下では、本発明の他の実施例に係る断熱ドア装置を説明する。
【００５４】
図７ａ〜図１０は、本発明の他の実施例に係る断熱ドア装置を説明するための図である。
【００５５】
図７ａ〜図９ｂを参照すると、前記断熱ドア装置２００は、前記ドアフレーム１２又は１３と、前記ドア１１と前記断熱ガスケット１００とを含む。
【００５６】
前記ドアフレーム１２、１３は、構造物の開口部に設置されることができる。
【００５７】
そして、前記ドア１１は、前記ドアフレーム１２、１３に回転可能に設置されるか、スライド可能に設置されることができる。
【００５８】
このようなドア１１は、構造物の開口部を選択的に開閉することができる。
【００５９】
前記断熱ガスケット１００は、前記ドアフレーム１２、１３に前記長さ方向Ｘに沿って設置され、前記ドア１１が構造物の開口部を閉鎖するとき、前記ドア１１の一方の側面と接触する。
【００６０】
前記断熱ガスケット１００は、前記ドア１１と、前記ドアフレーム１２、１３との間の隙間を塞ぎ、熱または空気などの移動を遮断することができる。
【００６１】
また、図７ａおよび図７ｂを参照すると、前記ドア１１が構造物の開口部を閉鎖するとき、前記断熱膜１１１の外面１１１２が、前記ドアフレーム１２および前記ドア１１の間で押される。前記断熱膜１１１は、前記ドア１１と前記ドアフレーム１２との間の隙間を塞ぐことができるように、前記接着部１２０は、構造物の開口部の外側（図面上の上側）を向くように、前記ドアフレーム１２に設置されることができる。
【００６２】
前述したように、構造物の開口部の外側（図面上の上側）を向くように、前記接着部１２０が前記ドアフレーム１２に付着した場合、前記断熱層１００ａは、構造物の開口部の内外部に長く形成されるため、断熱に非常に効果的である。
【００６３】
また、図８ａおよび図８ｂを参照すると、前記ドア１１が構造物の開口部を閉鎖するとき、前記断熱膜１１１の外面１１１２のうちの一部は、前記ドア１１内側（図面上の下側）と接触し、前記ドア１１と前記ドアフレーム１２との間の隙間を塞ぐ。前記断熱膜１１１の外面１１１２のうちの他の一部は、前記ドアフレーム１２と接触し、前記接着部１２０は、構造物の開口部の内側（図面上の下側）を向くように、前記ドアフレーム１２に設置されることができる。
【００６４】
前述したように、構造物の開口部の内側（図面上の下側）を向くように、前記接着部１２０が前記ドアフレーム１２に付着した場合、前記ドア１１を開閉するとき、前記ドア１１が前記断熱膜１１１に加える摩擦のような衝撃を減少させることができる。
【００６５】
また、図９ａおよび図９ｂを参照すると、前記ドア１１が構造物の開口部を閉鎖するとき、前記断熱膜１１１の外面１１１２が、前記ドアフレーム１３下面と前記ドア１１下面との間で押され、前記ドア１１と、前記ドアフレーム１２、１３との間の隙間を塞ぐことができるように、前記接着部１２０は、前記ドア１１の内側（図面上の左側）下段に設置されることができる。
【００６６】
前述したように、前記ドア１１の内側（図面上の左側）下段に設置されると、前記断熱層１００ａは、構造物の開口部の内外部に長く形成されるため、断熱に非常に効果的である。
【００６７】
図１０を参照すると、前記ドア１２が、前記ドアフレーム１３に沿って左右に引いて開閉することができるように、前記ドアフレーム１３に設置される場合、前記断熱膜１１１の外面１１１２が前記ドア１１下面と滑ることができるように、前記接着部１２０は前記ドアフレーム２３の下部面に設置されることができる。
【００６８】
以下では、本発明の更に他の実施例に係る断熱ドア装置を説明する。
【００６９】
図１１は、本発明の更に他の実施例に係る断熱ドア装置を説明するための図である。
【００７０】
図１１を参照すると、本発明の断熱ドア装置３００は、前記断熱ガスケット１００と、第１ドア２１と第２ドア２２を含むことができる。
【００７１】
前記断熱ガスケット１００は、第１ドア２１と第２ドア２２との間の空間に設置されることができる。
【００７２】
前記第１ドア２１と前記第２ドア２２が構造物の開口部を閉鎖するとき、前記断熱ガスケット１００は、前記第１ドア２１と前記第２ドア２２との間の隙間を塞ぎ、空気または熱の移動を遮断することができる。
【００７３】
以上の説明は、本発明の技術思想を例示的に説明したものに過ぎないものであり、本発明の属する技術分野における通常の知識を有する者であれば、本発明の本質的特性から逸脱しない範囲で様々な修正および変形が可能である。したがって、本発明に開示されている実施例は、本発明の技術思想を限定するためのものではなく、説明するためのものであり、これらの実施例によって本発明の技術思想の範囲が限定されることはない。本発明の保護範囲は、後述する請求範囲によって解釈されなければならず、それと同等の範囲内にあるすべての技術思想は、本発明の権利範囲に含まれるものとして解釈されなければならない。
【図１】
2019505733.tif 000003
【図２】
2019505733.tif 000004
【図３】
2019505733.tif 000005
【図４】
2019505733.tif 000006
【図５】
2019505733.tif 000007
【図６】
2019505733.tif 000008
【図７ａ】
2019505733.tif 000009
【図７ｂ】
2019505733.tif 000010
【図８ａ】
2019505733.tif 000011
【図８ｂ】
2019505733.tif 000012
【図９ａ】
2019505733.tif 000013
【図９ｂ】
2019505733.tif 000014
【図１０】
2019505733.tif 000015
【図１１】
2019505733.tif 000016
【国際調査報告】
2019505733.tif 000017
2019505733.tif 000018
2019505733.tif 000019
2019505733.tif 000020